(57)【特許請求の範囲】
【請求項１】
メータユニットがインストルメントパネルに取外し可能に取付けられるメータユニットの取付構造であって、
前記インストルメントパネルには、上部取付孔と下部取付孔とが開口され、
前記メータユニットには、前記上部取付孔に対応して上側の中央に設けられる上部取付部と、前記下部取付孔に対応して下側の両隅に設けられる下部取付部とが設けられ、
前記上部取付部が、
前記メータユニットと前記インストルメントパネルとが互いに接離する方向に延びる弾性変形自在な一対の弾性アームと、
前記各弾性アームが係止状態のときに前記上部取付孔に係止されて前記メータユニットの移動を規制し、かつ、前記各弾性アームが係止解除状態のときに前記上部取付孔への係止を解除して前記メータユニットの移動規制を解除するように、前記一対の弾性アームの対向面に突設された一対の係止突起と、
前記各弾性アームに延設され、互いに近接する方向に挟持して前記各弾性アームを弾性変形させることで前記上部取付孔に係止された前記各係止突起を係止解除方向へ変位させる一対の係止解除部と、
を備え、
前記上部取付部は、前記各弾性アームの先端部を囲む枠部を備え、
前記各枠部の外側には、前記上部取付孔の開口縁に挿入案内されるガイド部を備えることを特徴とするメータユニットの取付構造。
【請求項２】
メータユニットがインストルメントパネルに取外し可能に取付けられるメータユニットの取付構造であって、
前記インストルメントパネルには、上部取付孔と下部取付孔とが開口され、
前記メータユニットには、前記上部取付孔に対応して上側の中央に設けられる上部取付部と、前記下部取付孔に対応して下側の両隅に設けられる下部取付部とが設けられ、
前記上部取付部が、
前記メータユニットと前記インストルメントパネルとが互いに接離する方向に延びる弾性変形自在な一対の弾性アームと、
前記各弾性アームが係止状態のときに前記上部取付孔に係止されて前記メータユニットの移動を規制し、かつ、前記各弾性アームが係止解除状態のときに前記上部取付孔への係止を解除して前記メータユニットの移動規制を解除するように、前記一対の弾性アームの対向面に突設された一対の係止突起と、
前記各弾性アームに延設され、互いに近接する方向に挟持して前記各弾性アームを弾性変形させることで前記上部取付孔に係止された前記各係止突起を係止解除方向へ変位させる一対の係止解除部と、
を備え、
前記上部取付部は、前記一対の係止解除部を互いに近接する方向に手指で挟持しながら、他の指を引っ掛けてメータユニットの上部を乗員側へ引っ張ることができる把持部を備えることを特徴とするメータユニットの取付構造。
【請求項３】
前記上部取付孔と前記下部取付孔とが、互いの開口中心線が交差する方向に開口され、
前記下部取付部が、前記下部取付孔に挿入されて回動可能に支持される挿入部を備え、
前記下部取付孔内に挿入された前記挿入部を回転中心として前記メータユニットをインストルメントパネル側へ回動することにより、前記上部取付部が前記上部取付孔に挿入されるように、前記上部取付孔と前記下部取付孔とが配置されることを特徴とする請求項１又は２に記載のメータユニットの取付構造。
【発明の詳細な説明】
【技術分野】
【０００１】
本発明は、自動車のインストルメントパネルに搭載されるメータユニットの取付構造に関する。
【背景技術】
【０００２】
従来、自動車のインストルメントパネルにメータユニットを取付ける際には、連通させたメータユニットのねじ孔とパネルの取付孔にメータユニット側からボルトやスクリューねじをねじ込んで、メータユニットをインストルメントパネルに取付けていた。
この様な構成のメータユニットの取付構造によれば、メータユニットをインストルメントパネルに着脱する際には、複数のねじ孔（取付孔）内のボルトやスクリューねじを回す必要があり、部品点数が増加すると共に作業性が悪化し、製造コストの増加を招くという問題があった。
【０００３】
これに対して、特許文献１等には、メータユニットの下端の両側付近に備えられ、横方向に延びる軸部を有する二つの第一の取付部が、インストルメントパネルの下縁側に設けられた二つの第一の固定部に回動自在に取付けられると共に、メータユニットの上端の中央付近に備えられた第二の取付部（ネジ孔）が、インストルメントパネルの第二の固定部（取付孔）に螺着されるメータユニットの固定構造が提案されている。
このようなメータユニットの固定構造によれば、簡単な構成により部品点数が少なくて済み、部品コスト及び組立コストが低減されると共に、メータユニットのインストルメントパネルに対する取付精度と建付けを向上させることができる。
【０００４】
また、特許文献２等には、インストルメントパネルの孔内に通されて該孔内に係止する爪部を備えた計器ユニット（メータユニット）が提案されている。
図１１に示すように、上記特許文献２等に開示された計器ユニット１０１は、インストルメントパネル１０２に取り外し可能に取付けられる車両用コンビネーションメータである。
インストルメントパネル１０２は、合成樹脂等で構成されている。インストルメントパネル１０２は、自動車の車体等に固定される。インストルメントパネル１０２は、立壁部１２１と、立壁部１２１から立設した一対の側壁部１２２とを備えている。計器ユニット１０１は、立壁部１２１と側壁部１２２とによって形成される凹部１２３内に位置付けられる。立壁部１２１は、孔１２４ａ、１２４ｂを複数備えている。
【０００５】
計器ユニット１０１は、スピードメータやタコメータ等の表示計器（図示せず）を収容するケース１０３と、表示計器の表示部分１１５ａ，１１５ｂ以外を乗員に対して遮蔽する見返し部材１１３と、計器ユニット１０１内へ埃等が侵入するのを防止する透明カバー（図示せず）等を備えている。
ケース１０３は、硬質の合成樹脂等で構成されており、表ケース１３１と、裏ケース１３２とを備えている。ケース１０３の上側には、第１の爪部１０４が２つ設けられている。第１の爪部１０４は、枠部１４１と、弾性アーム１４２と、係止突起１４３と、係止解除部１０６とを備えており、インストルメントパネル１０２の孔１２４ａ内に通されてこの孔１２４ａ内に係止する。
【０００６】
また、ケース１０３の下側には、第２の爪部１０５が２つ設けられている。第２の爪部１０５も、第１の爪部１０４と同様に、枠部と、弾性アームと、係止突起とを備えており、インストルメントパネル１０２の孔１２４ｂ内に通されてこの孔１２４ｂ内に係止する。
そして、上記計器ユニット１０１をインストルメントパネル１０２に取り付ける際には、まず、計器ユニット１０１の裏面とインストルメントパネル１０２とを相対させ、これらを互いに近づけていく。そして、ケース１０３下側の第２の爪部１０５をインストルメントパネル１０２の孔１２４ｂ内に第２の爪部１０５を挿入（圧入）して係止させる。次いで、ケース１０３上側の第１の爪部１０４をインストルメントパネル１０２の孔１２４ａ内に第１の爪部１０４を挿入（圧入）して係止させる。
【０００７】
一方、計器ユニット１０１をインストルメントパネル１０２から取り外す際には、まず、係止解除部１０６を操作しながら第１の爪部１０４のインストルメントパネル１０２の孔１２４ａ内への係止を解除する。次いで、計器ユニット１０１の下側を引っ張り、第２の爪部１０５のインストルメントパネル１０２の孔１２４ｂ内への係止を解除して、計器ユニット１０１を取り外す。
このような計器ユニット１０１によれば、互いの開口中心線が略平行な方向に開口されたインストルメントパネル１０２の孔１２４ａ，１２４ｂ内に通されてこれら孔１２４ａ，１２４ｂ内に係止する第１及び第２の爪部１０４，１０５を備えているので、計器ユニット１０１をボルトやスクリューねじ等によって固定する必要がない。したがって、取り付け時の作業工程数を減少させて作業性を向上させ、計器ユニット１０１を簡単にインストルメントパネル１０２に取り付けることができる。また、部品数を減少させてコストを低減できる。
【先行技術文献】
【特許文献】
【０００８】
【特許文献１】特開２００６−１７５９０４号公報
【特許文献２】特開２００９−２５８０４９号公報
【発明の概要】
【発明が解決しようとする課題】
【０００９】
しかしながら、上記特許文献１等のメータユニットのように上側の固定にネジを使用している固定構造の場合、メータユニットの下端をインストルメントパネルに回動自在に取付ける為にメータユニットに設けられた第一の取付部の軸部や、インストルメントパネルに設けられた第１の固定部の係止部及び係合部が、破損し易いという問題があった。
【００１０】
また、上記特許文献２等の計器ユニット１０１の場合、第１の爪部１０４と第２の爪部１０５とがケース１０３の四隅に設けられ、第１の爪部１０４がケース１０３の上側に、第２の爪部１０５がケース１０３の下側に設けられている。
そこで、インストルメントパネル１０２に対する計器ユニット１０１の組み付け・取り外しには、作業者が両手を使い計器ユニット１０１を押し込んだり、係止解除部１０６を両手で操作しながら第１の爪部１０４のインストルメントパネル１０２の孔１２４ａ内への係止を解除したりする必要があり、組み付け性・取り外し性の改善が求められていた。また、第１の爪部１０４をケース１０３の上側中央１箇所に設けた場合には、ケース１０３の上側を一つの係止突起１４３で係止しなければならず、充分な係止力を維持できない可能性がある。
【００１１】
本発明は、上述した事情に鑑みてなされたものであり、その目的は、組み付け性・取り外し性を向上させたメータユニットの取付構造を提供することにある。
【課題を解決するための手段】
【００１２】
前述した目的を達成するために、本発明に係るメータユニットの取付構造は、下記（１）〜（３）を特徴としている。
（１）  メータユニットがインストルメントパネルに取外し可能に取付けられるメータユニットの取付構造であって、
前記インストルメントパネルには、上部取付孔と下部取付孔とが開口され、
前記メータユニットには、前記上部取付孔に対応して上側の中央に設けられる上部取付部と、前記下部取付孔に対応して下側の両隅に設けられる下部取付部とが設けられ、
前記上部取付部が、
前記メータユニットと前記インストルメントパネルとが互いに接離する方向に延びる弾性変形自在な一対の弾性アームと、
前記各弾性アームが係止状態のときに前記上部取付孔に係止されて前記メータユニットの移動を規制し、かつ、前記各弾性アームが係止解除状態のときに前記上部取付孔への係止を解除して前記メータユニットの移動規制を解除するように、前記一対の弾性アームの対向面に突設された一対の係止突起と、
前記各弾性アームに延設され、互いに近接する方向に挟持して前記各弾性アームを弾性変形させることで前記上部取付孔に係止された前記各係止突起を係止解除方向へ変位させる一対の係止解除部と、
を備え、
前記上部取付部は、前記各弾性アームの先端部を囲む枠部を備え、
前記各枠部の外側には、前記上部取付孔の開口縁に挿入案内されるガイド部を備えること。
（２）  メータユニットがインストルメントパネルに取外し可能に取付けられるメータユニットの取付構造であって、
前記インストルメントパネルには、上部取付孔と下部取付孔とが開口され、
前記メータユニットには、前記上部取付孔に対応して上側の中央に設けられる上部取付部と、前記下部取付孔に対応して下側の両隅に設けられる下部取付部とが設けられ、
前記上部取付部が、
前記メータユニットと前記インストルメントパネルとが互いに接離する方向に延びる弾性変形自在な一対の弾性アームと、
前記各弾性アームが係止状態のときに前記上部取付孔に係止されて前記メータユニットの移動を規制し、かつ、前記各弾性アームが係止解除状態のときに前記上部取付孔への係止を解除して前記メータユニットの移動規制を解除するように、前記一対の弾性アームの対向面に突設された一対の係止突起と、
前記各弾性アームに延設され、互いに近接する方向に挟持して前記各弾性アームを弾性変形させることで前記上部取付孔に係止された前記各係止突起を係止解除方向へ変位させる一対の係止解除部と、
を備え、
前記上部取付部は、前記一対の係止解除部を互いに近接する方向に手指で挟持しながら、他の指を引っ掛けてメータユニットの上部を乗員側へ引っ張ることができる把持部を備えること。
（３）  上記（１）又は（２）の構成のメータユニットの取付構造において、
前記上部取付孔と前記下部取付孔とが、互いの開口中心線が交差する方向に開口され、
前記下部取付部が、前記下部取付孔に挿入されて回動可能に支持される挿入部を備え、
前記下部取付孔内に挿入された前記挿入部を回転中心として前記メータユニットをインストルメントパネル側へ回動することにより、前記上部取付部が前記上部取付孔に挿入されるように、前記上部取付孔と前記下部取付孔とが配置されること。
【００１３】
上記（１）の構成のメータユニットの取付構造によれば、メータユニットの上側の中央に設けられた上部取付部は、一対の弾性アームの各係止解除部を互いに近接する方向に片方の手指で挟持するだけで、上部取付孔に係止された係止突起の係止を解除することができる。そこで、メータユニットにおける上部取付部の組付け及び取り外し作業は、作業者が片手で行うことができ、作業性が向上する。また、上部取付部は、各弾性アームの対向面に突設された２つの係止突起が、インストルメントパネルの上部取付孔に係止されることによってメータユニットの移動を規制するので、充分な係止力を有する。
更に、メータユニットは、上部取付部を上側の中央１箇所としたことにより、下側の両隅に設けられる下部取付部との３点支持となり、インストルメントパネルに対する安定した固定が可能になる。
更に、メータユニットの上部取付部をインストルメントパネルの上部取付孔に挿入する際、上部取付孔の開口縁には枠部のガイド部が摺接し、弾性アームに外力が作用するのを防ぐことができる。そこで、不所望の外力により弾性アームが変形したり、破損したりするのを防止できる。また、枠部を上部取付孔に嵌合させることで、上部取付孔に対する上部取付部のがたつきを抑制できる。
上記（２）の構成のメータユニットの取付構造によれば、一対の係止解除部を互いに近接する方向に手指で挟持しながら、把持部を乗員側へ引っ張って上部取付部を上部取付孔
から取り外すことができるので、弾性アーム等の破損を防止できる。
上記（３）の構成のメータユニットの取付構造によれば、メータユニットにおける下部取付部の挿入部をインストルメントパネルの下部取付孔に挿入した後、該挿入部を回転中心としてメータユニットをインストルメントパネル側へ回動することにより、下部取付孔の開口中心線に対して開口中心線が交差するインストルメントパネルの上部取付孔にメータユニットの上部取付部が挿入されて係止される。そこで、メータユニットにおける下部取付部の挿入部は、メータユニットの上部取付部がインストルメントパネルの上部取付孔に係止されることによって、下部取付孔の開口中心線方向に沿った移動が阻止される。即ち、メータユニットの下部取付部は、メータユニットとインストルメントパネルとが互いに接離する方向に対し交差して配置され、かつ下部取付孔の縁部に挿入部が当接することによって、上記接離する方向への移動が阻止される構成とされている。
従って、メータユニットの上部取付部が上部取付孔に係止されていない状態でメータユニットの下部取付部を下部取付孔に係脱させる際には、大きな操作力を必要としない。そこで、作業者の手指を引っ掛けたりするための座部等を設ける必要がなく、下部取付部近傍が大型化しない。また、メータユニットにおける下部取付部の挿入部を下部取付孔に位置合わせ挿入後、メータユニットを回動しながら上部取付部の位置合わせをできるので、メータユニットの組付け作業性が更に向上する。更に、メータユニットにおける下部取付部の挿入部は、インストルメントパネルの下部取付孔に挿入するだけの単純な形状で良いので、容易に剛性の高い形状とすることができる。
【発明の効果】
【００１４】
本発明によれば、組み付け性・取り外し性を向上させたメータユニットの取付構造を提供できる。
【００１５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１６】
【図１】本発明の一実施形態にかかるメータユニットとインストルメントパネルとを示す斜視図である。
【図２】図１に示したメータユニットの背面側からの斜視図である。
【図３】図１に示したメータユニットとインストルメントパネルの組付け前状態を示す縦断面図である。
【図４】（ａ）は図３に示した上部取付部を上部取付孔に係止した状態を示す水平断面図であり、（ｂ）は（ａ）のＢ−Ｂ断面矢視図である。
【図５】図４に示した上部取付部と上部取付孔の係止動作を説明するための水平断面図である。
【図６】図３に示した挿入部を挿入孔に挿入する手順を説明するための要部拡大断面図である。
【図７】図３に示した挿入部を挿入孔に挿入する手順を説明するための要部拡大断面図である。
【図８】図３に示したメータユニットの挿入部をインストルメントパネルの挿入孔に挿入した状態を示す縦断面図である。
【図９】図３に示したメータユニットとインストルメントパネルの組付け完了状態を示す縦断面図である。
【図１０】図３に示した上部取付部を上部取付孔から取り外す解除動作を説明するための要部斜視図である。
【図１１】従来の計器ユニットの取付構造を説明するための前面側からの斜視図である。
【発明を実施するための形態】
【００１７】
以下、添付図面に基づいて本発明の一実施形態に係るメータユニットの取付構造を詳細に説明する。
図１乃至図３に示すように、本発明の一実施形態に係るメータユニット１は、自動車に搭載されて、乗員に対して車両の状況を表示する車両用コンビネーションメータである。本実施形態において、メータユニット１は、インストルメントパネル２に取外し可能に取付けられる。
【００１８】
インストルメントパネル２は、例えば合成樹脂等で構成されている。インストルメントパネル２は、図１に示すように、立壁部２１と、立壁部２１から立設した一対の側壁部２２とを備えている。メータユニット１は、立壁部２１と側壁部２２とによって形成される凹部２３内に位置付けられる。立壁部２１には、互いの開口中心線Ｘ，Ｙが交差する方向に挿入孔（下部取付孔）２４と上部取付孔２５とが複数開口されている。
【００１９】
上部取付孔２５は、メータユニット１とインストルメントパネル２とが互いに接離する（近づいたり離れたりする）方向Ａに沿って開口中心線Ｙが延びるように左右方向に併設された一対の略矩形状の開口２５ａにより構成されている。一方、挿入孔２４は、上部取付孔２５の開口中心線Ｙと交差する上下方向に開口中心線Ｘが延びるように形成された略矩形状の開口である。本実施形態では、挿入孔２４がインストルメントパネル２の下側の両隅にそれぞれ１つずつ設けられ、上部取付孔２５がインストルメントパネル２の上側の中央に１つ設けられている。挿入孔２４はメータユニット１の後述する挿入部（下部取付部）４を内部に通し、上部取付孔２５は、メータユニット１の後述する上部取付部５を内部に通す。
【００２０】
更に、挿入孔２４近傍のインストルメントパネル２上面には、挿入部４を挿入孔２４に摺動案内する為のガイド部２７が設けられる。ガイド部２７は、前記接離する方向Ａに沿って挿入孔２４から乗員側に延びるガイド面２７ａと、このガイド面２７ａの両側に突設された一対のガイドリブ２７ｂとを備える。
【００２１】
メータユニット１は、図１に示すように、スピードメータやタコメータ等の表示計器（図示せず）を収容するケース３と、表示計器の表示部分以外を乗員に対して遮蔽する見返し部材１３と、メータユニット１内へ埃等が侵入するのを防止する透明カバー１５等を備えている。
【００２２】
ケース３は、図２に示すように、硬質の合成樹脂等で構成された表ケース３１と、裏ケース３２とを備えている。
表ケース３１は、平板部とこの平板部の周縁から立設した周壁部３４とを備え、乗員から離れる方向に開口した箱状に形成されている。平板部の乗員と相対する外表面には、図示しない表示計器の目盛板が取付けられる。周壁部３４の下面には、表ケース３１の外方向に突出し、後述する挿入部４及び上部取付部５がそれぞれ連なる台部３７、３８が設けられている。
【００２３】
裏ケース３２は、平板部３５と、平板部３５の周縁から立設した周壁部３６とを備え、乗員と相対する方向に開口した箱状に形成されている。裏ケース３２の周壁部３６が表ケース３１の周壁部３４に取付けられて、ケース３が組み立てられる。ケース３は、内部にプリント配線板（図示せず）を収容する。プリント配線板には、表示計器のムーブメント、目盛板や指針用の光源としてのＬＥＤや、これらムーブメント及びＬＥＤ等の動作を制御するためのマイコン等の電子部品等が実装されている。
【００２４】
見返し部材１３は、図１に示すように、表ケース３１の乗員と相対する側に取り付けられている。見返し部材１３には、図示しない表示計器の目盛板の目盛を乗員に対して露出させる複数の露出窓が形成されており、表示部分以外を乗員に対して遮蔽する。
透明カバー１５は、透明性を有した合成樹脂等で構成されている。透明カバー１５は、見返し部材１３の乗員と相対する側に取り付けられ、見返し部材１３の開口を覆って、メータユニット１内へ埃等が侵入するのを防止する。
【００２５】
本実施形態に係るメータユニット１は、さらに、図２に示すように、挿入部４と、上部取付部５とを備えている。
挿入部４は、前述したインストルメントパネル２の挿入孔２４に対応して、略矩形状のケース３の下側の両隅にそれぞれ１つずつ設けられるメータユニット１の下部取付部である。
【００２６】
ケース３の下面に突設された挿入部４は、インストルメントパネル２の挿入孔２４に挿入されてメータ前後に回動自在に支持される。
挿入部４は、図３に示すように、挿入本体４１と、規制部４２と、一対の引掛け部４３ａ，４３ｂとを備えている。
【００２７】
図６及び図７に示すように、挿入本体４１は、上述した表ケース３１の台部３７に連なり、台部３７から下方（図中の下方）に向かって突出している。挿入本体４１は、先端が窄まった略くさび形状に形成され、基端が台部３７に連なっている。更に、挿入本体４１の基端側における見かけ上の水平断面形状（肉盗み部を含んだ断面形状）は、インストルメントパネル２の挿入孔２４の略矩形状の開口と略一致している。
【００２８】
規制部４２は、挿入本体４１の基端の乗員側に突設されている。この規制部４２は、挿入部４が挿入孔２４内に挿入された時に該挿入孔２４の縁部と当接して挿入位置を規制すると共に、メータユニット１を回動させる際の回転中心となる。
一対の引掛け部４３ａ，４３ｂは、挿入部４が挿入孔２４内に挿入された後に前記メータユニット１が回動されて上部取付部５が上部取付孔２５内に係止されたとき、挿入孔２４の対向する縁部をそれぞれ表裏面方向から押圧付勢して挿入孔２４に対する挿入部４のがたつきを抑制する。
【００２９】
上部取付部５は、インストルメントパネル２の上部取付孔２５に対応して、略矩形状のケース３の上側の中央に１つ設けられている。
ケース３の裏面に突設された上部取付部５は、インストルメントパネル２の上部取付孔２５内に挿入されてこの上部取付孔２５内に係止する。上部取付部５は、図１乃至図５に示すように、一対の枠部５１と、一対の弾性アーム５２と、一対の係止突起５３と、一対の係止解除部６とを備えている。
【００３０】
図４に示すように、一対の枠部５１は、上述した表ケース３１の台部３８に連なり、台部３８からインストルメントパネル２に向かって（乗員から離れる方向に）平行に突出している。各枠部５１は、Ｕ字状に形成され、弾性アーム５２の先端部を囲むように両端が台部３８に連なっている。各枠部５１の外側面には、側縁に沿ってガイド部５１ａが垂設されており、先端にいくにしたがって徐々に低くなるように形成されている。
【００３１】
このガイド部５１ａの基端側の高さは、インストルメントパネル２の上部取付孔２５における各開口２５ａの水平方向の間隔よりも僅かに高く形成されている。このため、上部取付部５は上部取付孔２５に圧入嵌合されることになり、上部取付部５が水平方向にがたつくのを防止する。
また、メータユニット１の上部取付部５をインストルメントパネル２の上部取付孔２５に挿入する際、開口２５ａの開口縁には枠部５１のガイド部５１ａが摺接し、弾性アーム５２に外力が作用するのを防ぐことができる。そこで、不所望の外力により弾性アーム５２が変形したり、破損したりするのを防止できる。
【００３２】
一対の弾性アーム５２は、図４に示すように、それぞれ枠部５１内に配されている。弾性アーム５２は、前記接離する方向Ａに沿って設けられ、枠部５１の先端からインストルメントパネル２から離れる方向に延びている。弾性アーム５２は、基端側が枠部５１に連なり、先端側が自由端である片持ちアーム状に形成されており、ケース３の長手方向中央から離れるように弾性変形自在に設けられている。そして、各弾性アーム５２は、インストルメントパネル２の上部取付孔２５における各開口２５ａ内に通された係止状態と、各係止突起５３が開口２５ａの縁部を乗り越える係止解除状態とに亘って、たわみ支点Ｐを支点に弾性変形自在に設けられている。
【００３３】
図５（ａ）に示すように、係止突起５３は、各弾性アーム５２の対向面に突設されており、先端が枠部５１内から突出している。係止突起５３は、インストルメントパネル２と相対する端部に設けられたテーパ面５３ａと、インストルメントパネル２から離れた端部に設けられた当接面５３ｂとを備えている。
【００３４】
テーパ面５３ａは、インストルメントパネル２に近づくにしたがって徐々に弾性アーム５２の外表面に近づくように傾斜しており、図５（ｂ）に示すように、メータユニット１をインストルメントパネル２に取り付ける際に、上部取付孔２５における各開口２５ａの縁部と接触して各弾性アーム５２を弾性変形させる。
当接面５３ｂは、メータユニット１とインストルメントパネル２とが互いに離接する方向Ａに対して直交しており、図５（ｃ）に示すように、上部取付部５がインストルメントパネル２の上部取付孔２５内に係止すると、開口２５ａの縁部と当接する。
【００３５】
このように上部取付部５は、各弾性アーム５２の対向面に突設された２つの係止突起５３が、インストルメントパネル２の上部取付孔２５における各開口２５ａに係止されることによってメータユニット１の移動を規制するので、充分な係止力を有することができる。
更に、メータユニット１は、上部取付部５を上側の中央１箇所としたことにより、下側の両隅に設けられる挿入部４との３点支持となり、インストルメントパネル２に対する安定した固定が可能になる。
【００３６】
一対の係止解除部６は、図５に示したように、各弾性アーム５２に連なって設けられている。一対の係止解除部６は、作業者が操作部６ａを互いに近接する方向（係止突起５３の突出方向と同方向）に挟持することで、弾性アーム５２を上述した係止状態から係止解除状態へとたわみ支点Ｐを中心に弾性変形させる。これによって、係止突起５３の開口２５ａ内への係止を解除して、当接面５３ｂが開口２５ａの縁部と当接するのを解除することができる。
【００３７】
従って、メータユニット１の上側の中央に設けられた上部取付部５は、一対の弾性アーム５２の各係止解除部６を互いに近接する方向に片方の手指で挟持するだけで、上部取付孔２５に係止された係止突起５３の係止を解除することができる。そこで、メータユニット１における上部取付部５の組付け及び取り外し作業は、作業者が片手で行うことができ、作業性が向上する。
【００３８】
更に、台部３８の後端部には、一対の係止解除部６を互いに近接する方向に手指で挟持しながら、他の指を引っ掛けてメータユニット１の上部を乗員側へ引っ張ることができる把持部７が上方に向かって突設されている。把持部７は、平板状に形成されて、前記離接する方向Ａと直交するように配置されている。
そして、メータユニット１をインストルメントパネル２から取り外す際には、例えば作業者の親指と中指で一対の係止解除部６の操作部６ａを挟持しながら、人差し指を把持部７のインストルメントパネル２と相対する外表面に引っ掛け、この状態でメータユニット１の上部を引っ張ってインストルメントパネル２から引き離すことができる（図１０参照）。即ち、上部取付部５において、係止突起５３の開口２５ａ内への係止を解除する工程と、係止突起５３を開口２５ａ内から引き抜く工程とを片手で行うことができる。
【００３９】
次に、上述したメータユニット１をインストルメントパネル２に取り付ける手順を図３〜図９を参照しながら説明する。
先ず、図３に示すように、メータユニット１の裏面とインストルメントパネル２とを相対させ、これらを矢印Ａ方向に沿って互いに近づけていく。そして、ケース３の下面に突設された挿入部４をインストルメントパネル２の挿入孔２４に挿入する。
【００４０】
この際、挿入孔２４近傍のインストルメントパネル２上面に設けたガイド部２７によって、挿入部４を摺動案内することができる。即ち、図６に示すように、挿入部４の先端をガイド面２７ａに当接させてメータユニット１を支持させた状態で、メータユニット１をインストルメントパネル２に近づけていけば、一対のガイドリブ２７ｂによりケース３の長手方向移動を規制された挿入部４は挿入孔２４に向かって摺動する。
【００４１】
そして、図７に示すように、挿入孔２４が開口された位置に挿入部４が達すると、挿入部４はメータユニット１の自重により下方の挿入孔２４内に挿入される。挿入孔２４内に挿入された挿入部４は、規制部４２が挿入孔２４の縁部上面と当接することにより、挿入位置が規制される。この状態において、図８に示すように、メータユニット１の上側の中央に設けられた上部取付部５が、インストルメントパネル２の上部取付孔２５に対峙するように設定されている。
【００４２】
この様に、挿入孔２４近傍のインストルメントパネル２上面にガイド部２７を設けたことにより、作業者は直接目視することができないメータユニット１の挿入部４を挿入孔２４内に容易に挿入することができるので、挿入部４を挿入孔２４に位置合わせ挿入する際の作業性が向上する。
【００４３】
次に、挿入孔２４内に挿入された挿入部４を回転中心として、メータユニット１をインストルメントパネル２側へ回動する。即ち、図８に示すように、メータユニット１の上部（例えば、把持部７）をインストルメントパネル２側（図８中左側）へ押し、挿入孔２４の縁部と当接している規制部４２を回転中心としてメータユニット１をインストルメントパネル２側へ回動させる。
【００４４】
すると、挿入孔２４の開口中心線Ｘに対して開口中心線Ｙが交差するインストルメントパネル２の上部取付孔２５に、メータユニット１の上側に設けられた上部取付部５が挿入されて係止される。上部取付部５が上部取付孔２５内に挿入されていくと、係止突起５３のテーパ面５３ａが開口２５ａの縁部に接触して、弾性アーム５２を弾性変形させる。さらに挿入していくと、係止突起５３が開口２５ａの縁部を乗り越えて、上部取付部５が上部取付孔２５内に係止される。
【００４５】
更に、図９に示すように、上部取付孔２５内への上部取付部５の係止が完了するまでメータユニット１がインストルメントパネル２側へ回動させられると、挿入部４に形成された一対の引掛け部４３ａ，４３ｂが、挿入孔２４の対向する縁部をそれぞれ表裏面方向から押圧付勢して挿入孔２４に対する挿入部４のがたつきを抑制する。
【００４６】
そして、メータユニット１の挿入部４は、メータユニット１の上部取付部５がインストルメントパネル２の上部取付孔２５に係止されることによって、挿入孔２４の開口中心線Ｘ方向に沿った移動が阻止される。即ち、メータユニット１の挿入部４は、メータユニット１とインストルメントパネル２とが互いに接離する方向Ａに対し交差して配置され、かつ挿入孔２４の縁部に当接することによって、上記接離する方向Ａへの移動が阻止される構成とされている。その結果、図９に示すように、メータユニット１がインストルメントパネル２に取り付けられる。
【００４７】
次に、上述したメータユニット１をインストルメントパネル２から取り外す手順を説明する。
先ず、作業者は、図１０に示すように、親指と中指で一対の係止解除部６の操作部６ａを挟持しながら、人差し指を把持部７のインストルメントパネル２と相対する外表面に引っ掛け、この状態でメータユニット１の上部を引っ張り、挿入孔２４内に挿入された挿入部４を回転中心としてメータユニット１を乗員側へ回動することにより、上部取付部５の上部取付孔２５内への係止を解除する。
【００４８】
次いで、メータユニット１を持ち上げながらインストルメントパネル２から引き離すことにより、挿入孔２４内に挿入された挿入部４を引き抜いて、メータユニット１を取出す。この際、挿入部４は挿入孔２４に挿入されているだけなので、大きな引き抜き力を必要としない。
【００４９】
上述した本実施形態に係るメータユニット１の取付構造によれば、メータユニット１の上部取付部５がインストルメントパネル２の上部取付孔２５に係止されていない状態でメータユニット１の挿入部４をインストルメントパネル２の挿入孔２４に係脱させる際には、大きな操作力を必要としない。そこで、作業者の手指を引っ掛けたりするための座部等を設ける必要がなく、挿入部４近傍が大型化しない。
【００５０】
また、メータユニット１の挿入部４を挿入孔２４に位置合わせ挿入後、メータユニット１を回動しながら上部取付部５の位置合わせをできるので、メータユニット１の組付け作業性が向上する。
更に、メータユニット１の挿入部４は、インストルメントパネル２の挿入孔２４に挿入するだけの単純な形状で良く、抜けを防止する弾性アームや係止突起等を設ける必要がないので、容易に剛性の高い形状とすることができる。
従って、組み付け性・取り外し性を向上させながらコンパクトで丈夫なメータユニット１の取付構造を提供できる。
【００５１】
従って、上述した本発明の一実施形態に係るメータユニット１の取付構造によれば、メータユニット１の上側の中央に設けられた上部取付部５は、一対の弾性アーム５２の各係止解除部６を互いに近接する方向に片方の手指で挟持するだけで、上部取付孔２５に係止された係止突起５３の係止を解除することができる。そこで、メータユニット１における上部取付部５の組付け及び取り外し作業は、作業者が片手で行うことができ、作業性が向上する。
【００５２】
また、上部取付部５は、各弾性アーム５２の対向面に突設された２つの係止突起５３が、インストルメントパネル２の上部取付孔２５に係止されることによってメータユニット１の移動を規制するので、充分な係止力を有することができる。
更に、本実施形態のメータユニット１は、上部取付部５を上側の中央１箇所としたことにより、下側の両隅に設けられる下部取付部である挿入部４との３点支持となり、インストルメントパネル２に対する安定した固定が可能になる。
【００５３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
例えば、上記実施形態に係るメータユニット１の取付構造においては、インストルメントパネル２の下部取付孔である挿入孔２４に挿入されて回動可能に支持される挿入部４を下部取付部として用いたが、本発明はこれら下部取付孔及び下部取付部の構成に限るものではなく、種々の形態を採りうることは云うまでもない。
【符号の説明】
【００５４】
１  メータユニット
２  インストルメントパネル
３  ケース
４  挿入部（下部取付部）
５  上部取付部
６  係止解除部
６ａ  操作部
７  把持部
２４  挿入孔（下部取付孔）
２５  上部取付孔
２５ａ  開口
４１  挿入本体
５１  枠部
５１ａ  ガイド部
５２  弾性アーム
５３  係止突起
５３ａ  テーパ面
５３ｂ  当接面
Ａ  接離する方向
Ｘ  挿入孔の開口中心線
Ｙ  上部取付孔の開口中心線
【図１】
0005947510.tif 000002
【図２】
0005947510.tif 000003
【図３】
0005947510.tif 000004
【図４】
0005947510.tif 000005
【図５】
0005947510.tif 000006
【図６】
0005947510.tif 000007
【図７】
0005947510.tif 000008
【図８】
0005947510.tif 000009
【図９】
0005947510.tif 000010
【図１０】
0005947510.tif 000011
【図１１】
0005947510.tif 000012